(57)【要約】  トリプルディスプレイ装置及びこれを用いたコンピューターを開示する。本発明のトリプルディスプレイ装置は、メーンディスプレイ、第１の補助ディスプレイ、及び第２の補助ディスプレイから構成される。メーンディスプレイは、備えた第１の入力ポートがコンピューターのメインボードに装着されたデュアルグラフィックカードの第１の出力ポートと第１のケーブルを介して連結されて、コンピューターで実行されるプログラムの状態情報を表示する。第１の補助ディスプレイは、備えた第２の入力ポートがデュアルグラフィックカードの第２の出力ポートと第２のケーブルを介して連結され、コンピューターで自動実行され、インターネット網を介して接続された特定サイトから提供されるデータ（例、広告コンテンツ、社内イントラネット情報）を表示する。第２の補助ディスプレイは、備えられたＵＳＢビデオモジュールのＵＳＢ出力ポートとメインボードに備えられたＵＳＢ出力ポートが第３のケーブルを介して連結されて、ユーザーが入力する命令に対応してメインボードを介して実行されるデータを表示する。これによって、追加的なコスト負担がなく、より多くの数の作業空間を確保することが可能であり、且つ第１の補助ディスプレイを通した特定情報の表示専用が可能であり、広告コンテンツの固定された表示を通じて広告効果を得ることができる。
2013504790.tif 000002
【特許請求の範囲】
【請求項１】
コンピューターに連結されて前記コンピューターから提供されるディスプレイデータを表示するディスプレイ装置であって、
第１の入力ポートを備え、前記第１の入力ポートが第１のケーブルを介して前記コンピューターのメインボードに装着されたデュアルグラフィックカードの第１の出力ポートに連結されるメーンディスプレイ；
第２の入力ポートを備え、前記第２の入力ポートが第２のケーブルを介して前記デュアルグラフィックカードの第２の出力ポートに連結される第１の補助ディスプレイ；及び
第３の入力ポートを備えたＵＳＢビデオモジュールを備え、前記ＵＳＢビデオモジュールが第３のケーブルを介して前記メインボードに備えられたＵＳＢ出力ポートに連結される第２の補助ディスプレイ；を含んでなり、
前記第１の補助ディスプレイ及び前記第２の補助ディスプレイは前記メーンディスプレイの左右側または上下側のうちいずれか一方に設けられることを特徴とするディスプレイ装置。
【請求項２】
前記第１の補助ディスプレイ及び前記第２の補助ディスプレイは前記メーンディスプレイより画面サイズが小さいことを特徴とする請求項１に記載のディスプレイ装置。
【請求項３】
前記第１の補助ディスプレイ及び前記第２の補助ディスプレイは前記メーンディスプレイにヒンジ結合されて回動自在に設けられることを特徴とする請求項２に記載のディスプレイ装置。
【請求項４】
前記第１の補助ディスプレイ及び前記第２の補助ディスプレイは前記メーンディスプレイに軸結合されて回転自在に設けられることを特徴とする請求項２に記載のディスプレイ装置。
【請求項５】
前記第１の補助ディスプレイ及び前記第２の補助ディスプレイのうち少なくとも一つは前記メーンディスプレイに着脱自在に設けられることを特徴とする請求項２に記載のディスプレイ装置。
【請求項６】
前記メインボードのＵＳＢ出力ポートと前記第２の補助ディスプレイのＵＳＢビデオモジュールは無線ＵＳＢ通信で連結されることを特徴とする請求項５に記載のディスプレイ装置。
【請求項７】
請求項１ないし請求項５のいずれかに記載の構成を有するディスプレイ装置；
前記ＵＳＢ出力ポート、インターネット網に接続して前記ディスプレイデータを受信する通信部、及び前記ディスプレイデータを前記ディスプレイ装置に出力するための動作を制御する制御部を備えるメインボード；及び
前記メインボードに装着されて前記制御部の制御によって前記ディスプレイデータを前記ディスプレイ装置に出力するデュアルグラフィックカード；を含むことを特徴とするコンピューター。
【請求項８】
内蔵された接続プログラムを実行して前記通信部を介して特定ウェブサイトに自動接続する接続部；をさらに含んでなり、
前記制御部は、前記特定ウェブサイトから提供されるデータを前記第１の補助ディスプレイまたは前記第２の補助ディスプレイに出力することを特徴とする請求項７に記載のコンピューター。
【請求項９】
内蔵された接続プログラムを実行して前記通信部を介して特定ウェブサイトに自動接続する接続部；をさらに含んでなり、
前記制御部は、前記特定ウェブサイトから提供されるデータを前記第１の補助ディスプレイに出力することを特徴とする請求項７に記載のコンピューター。
【請求項１０】
前記特定サイトから提供されるデータは広告コンテンツ、イントラネット、ニュース、メール、教育、証券、チャットデータのうち少なくとも一つを含むことを特徴とする請求項８に記載のコンピューター。
【請求項１１】
前記制御部は、
前記第１の補助ディスプレイに表示される前記データが入力インターフェースを介して選択されると、選択された前記データに対応してリンクされたウェブページを前記インターネット網を介して受信して前記メーンディスプレイまたは前記第２の補助ディスプレイに出力し、
前記第２の補助ディスプレイに表示される前記データが入力インターフェースを介して選択されると、選択された前記データに対応してリンクされたウェブページを前記インターネット網を介して受信して前記メーンディスプレイまたは前記第１の補助ディスプレイに出力することを特徴とする請求項８に記載のコンピューター。
【請求項１２】
前記制御部は、
前記第１の補助ディスプレイに表示される前記データが入力インターフェースを介して選択されると、選択された前記データに対応してリンクされたウェブページを前記インターネット網を介して受信して前記メーンディスプレイまたは前記第２の補助ディスプレイに出力することを特徴とする請求項８に記載のコンピューター。
【請求項１３】
前記制御部は、
入力インターフェースを介してユーザーが入力する要請命令によって表示されるディスプレイデータを、前記第２の補助ディスプレイに表示するように設定することを特徴とする請求項８に記載のコンピューター。
【請求項１４】
前記ディスプレイ装置、前記メインボード、及び前記デュアルグラフィックカードが一つのケーシング内に備えられて一体型に製作されることを特徴とする請求項８に記載のコンピューター。
【請求項１５】
前記第１の補助ディスプレイの前記第２の入力ポートはデジタルビデオケーブルを介して前記デュアルグラフィックカードの前記第２の出力ポートに直接連結され、前記第２の出力ポートから出力される前記データはデジタルフォーマットで前記第２の入力ポートに直接受信して前記第１の補助ディスプレイに表示することを特徴とする請求項１４に記載のコンピューター。
【請求項１６】
コンピューターに連結されて前記コンピューターから提供されるディスプレイデータを表示するディスプレイ装置であって、
第１の入力ポートを備え、前記第１の入力ポートが第１のケーブルを介して前記コンピューターのメインボードに装着されたグラフィックカードの出力ポートに連結されるメーンディスプレイ；
第２の入力ポートが備えられた第１のＵＳＢビデオモジュールを備え、前記第１のＵＳＢビデオモジュールが第２のケーブルを介して前記メインボードに備えられた第１のＵＳＢ出力ポートに連結される第１の補助ディスプレイ；及び
第３の入力ポートを備えた第２のＵＳＢビデオモジュールを備え、前記第２のＵＳＢビデオモジュールが第３のケーブルを介して前記メインボードに備えられた第２のＵＳＢ出力ポートに連結される第２の補助ディスプレイ；を含んでなり、
前記第１の補助ディスプレイ及び前記第２の補助ディスプレイは前記メーンディスプレイの左右側または上下側のうちいずれか一方に設けられることを特徴とするディスプレイ装置。
【請求項１７】
前記第１の補助ディスプレイ及び前記第２の補助ディスプレイのうち少なくとも一つは前記メーンディスプレイに着脱自在に設けられることを特徴とする請求項１６に記載のディスプレイ装置。
【請求項１８】
前記メインボードの第１のＵＳＢ出力ポートと前記第１の補助ディスプレイの第１のＵＳＢビデオモジュール、及び前記メインボードの第２のＵＳＢ出力ポートと前記第２の補助ディスプレイの第２のＵＳＢビデオモジュールのうち少なくとも一つは無線ＵＳＢ通信で連結されることを特徴とする請求項１７に記載のディスプレイ装置。
【発明の詳細な説明】
【技術分野】
【０００１】
本発明はディスプレイ装置及びこれを用いたコンピュータに関するもので、より詳細には、コンピュータのメインボードから出力されるディスプレイデータを表示できる複数の画面が一体に形成されたディスプレイ装置及びこれを用いたコンピュータに関するものである。
【背景技術】
【０００２】
一般的に、コンピュータはＣＰＵ（Ｃｅｎｔｒａｌ  Ｐｒｏｃｅｓｓｉｎｇ  Ｕｎｉｔ）が装着されたメインボード、グラフィック（Ｖｉｄｅｏ  Ｇｒａｐｈｉｃｓ  Ａｒｒａｙ、ＶＧＡ）カード、サウンドチップ、入出力インターフェース、格納装置、入力装置、及び出力装置（モニター、プリンタ等）等から構成される。ここで、ディスプレイ装置であるモニターはメインボードに装着されたＣＰＵの制御によってグラフィックカードから伝送される信号を所定の映像に再生してユーザーが見ることができるように画面に出力する。
【０００３】
このようなディスプレイ装置はユーザーの操作によって一つの画面に多様な情報を有するページウィンドウ（ｗｉｎｄｏｗ）を同時に表示するようになる。例えば、ディスプレイ装置の一つの画面にはユーザーが作業を行うプログラムの実行ページウィンドウとインターネット接続を介して提供されるウェブページなどを表示するようになる。
【０００４】
このように、一つの画面で構成される既存のディスプレイ装置はコンピュータで複数の作業を同時に行う場合、各プログラムの実行画面を一つの画面に同時に表示するには空間的な制約があり、これによる作業の不便さが伴う短所がある。このような作業空間の制約を解決するために一つのコンピュータに二つのモニターを連結して作業空間を確保する技術を提案したことがある。
【０００５】
このような技術の例として、本発明の発明者は一つのコンピュータに直列または並列にそれぞれのモニターを連結してコンピュータから出力されるディスプレイデータをそれぞれ表示できるデュアルディスプレイ装置を発明したことがある。
【０００６】
図１は前述した二つのディスプレイを有するデュアルディスプレイ装置の例を示した図である。この図に示したように、デュアルディスプレイ装置８０はメーンディスプレイ６０と、補助ディスプレイ７０とから構成される。補助ディスプレイ７０はメーンディスプレイ６０に比べて、その画面サイズが小さく形成される。また補助ディスプレイ７０はメーンディスプレイ６０の上側にメーンディスプレイ６０の画面方向と同一方向に固設して製作する。
【０００７】
このように二つの画面を通じてコンピュータのプログラムにより行っている作業状態の情報を表示することによって、従来に比べて広い作業空間の確保が可能である。
【０００８】
図２は図１のデュアルディスプレイ装置とコンピュータ本体の連結例を示した図である。この図に示したように、コンピュータに装着されるメインボード１０にはＣＰＵ２０及びグラフィックカード３０が装着され、ＣＰＵ２０はディスプレイデータを出力するグラフィックカード３０を制御する。グラフィックカード３０は一般的なデュアルグラフィックカードであって、ディスプレイデータをそれぞれのメーンディスプレイ６０と補助ディスプレイ７０に出力するための第１の、第２の出力ポート３２、３４を備える。デュアルグラフィックカード３０の代わりに二つのシングルグラフィックカードを用いたりもする。
【０００９】
メーンディスプレイ６０はグラフィックカード３０の第１の出力ポート３２から出力されるディスプレイデータの入力を受けるための第１の入力ポート６２を備え、補助ディスプレイ７０はグラフィックカード３０の第２の出力ポート３４から出力されるディスプレイデータの入力を受けるための第２の入力ポート７２を備える。
【００１０】
この時、グラフィックカード３０の第１の出力ポート３２とメーンディスプレイ６０の第１の入力ポート６２は第１のケーブル４２を介して連結される。グラフィックカード３０の第２の出力ポート３４と補助ディスプレイ７０の第２の入力ポート７２は第２のケーブル４４を介して連結される。
【００１１】
このような連結構造によって、ＣＰＵ２０はメーンディスプレイ６０を制御してディスプレイデータを第１の、第２のケーブル４２、４４を介してメーンディスプレイ６０または補助ディスプレイ７０に出力する。
【００１２】
したがって、複数の作業に対する処理結果の情報をメーンディスプレイ６０及び補助ディスプレイ７０を利用して表示することによって、一つの画面を利用して作業を行う従来に比べて、より広い作業空間を確保することができ、ユーザーに取っては作業のスピード及び効率性を高めることができる長所がある。
【００１３】
ところが、前述したようなデュアルディスプレイ装置であっても、複数のプログラムを同時に二つの画面を通じて表示することには限界がある。したがって複数のプログラム処理結果のデータを表示するためのより広い作業空間を確保することができるディスプレイ装置が要求される。
【００１４】
このようなニーズを充足させるために多数（三つ以上）のモニターを一つのコンピュータに連結できるようにコンピュータを製作する方案を考えてみることができる。しかし、この場合コンピュータは、二つのモニター以外に、さらに備えるモニターに連結されてディスプレイデータを出力するためのグラフィックカードをメインボードにさらに装着する必要がある。このように、三つ以上のモニターを一つのコンピュータに連結するためには必需的にグラフィックカードをコンピュータにさらに設けなければならず、それによってハードウェアー的にコストが増加する短所がある。
【００１５】
その上、別のグラフィックカードをコンピュータのメインボードに装着するとしても、さらに装着したグラフィックカードを介して既存のグラフィックカードから出力されるディスプレイデータと異なる情報を有するディスプレイデータが出力されることではなく、既存に装着されたグラフィックカードから出力されるディスプレイデータと同一情報のデータが出力される。したがって、このような方法では相異なる作業によるプログラム実行結果の情報を表示するためにより広い作業空間を確保するとの目的を達成することができない問題点がある。
【００１６】
このような問題点を解決するために、多重出力ポートを備えて、各出力ポートに連結された複数のモニターにそれぞれ相異なるディスプレイデータを出力できる性能を有する多重出力グラフィックカードをコンピュータに装着できる。しかし、このような機能を有する多重出力グラフィックカードは既存のグラフィックカードに比べて、２〜３倍以上の価格で高価に販売されており、これに伴って高価な多重出力グラフィックカードをさらに購入しなければならない。それによって、ハードウェアー的にコストが増加する短所がある。
【００１７】
一方、グラフィックカードをメインボードにさらに装着するだけで、各モニターに相異なるディスプレイデータを出力できる機能を有するソフトウェアをコンピュータにインストールする方案を考えてみることができる。しかし、このような機能を有するように開発したソフトウェアが存在しない上、存在するとしてもコンピュータのユーザーに取っては多重ディスプレイデータの出力機能を有するハードウェアをさらに購入しなければならない。それによって、ソフトウェア的にコストが増加するようになる短所がある。
【発明の概要】
【発明が解決しようとする課題】
【００１８】
前述したような問題点を解決するためになされた本発明は、コンピュータで実行される相異なる作業データをそれぞれ表示して、より広い作業空間を確保することができるディスプレイ装置及びこれを用いたコンピュータを提供することにその目的がある。
【００１９】
本発明の他の目的は、複数の画面で構成されるディスプレイ装置を製作することにおいて、ハードウェア的なコストを最小化しながら、コンピュータでそれぞれの画面に相異なるディスプレイデータを出力できるように構成した多重画面を有するディスプレイ装置及びこれを適用したコンピュータを提供することにある。
【００２０】
本発明のもう一つの目的は、複数の画面で構成されるディスプレイ装置を製作することにおいて、ソフトウェア的に別の制御プログラムをコンピュータが備えなくても、それぞれの画面に相異なるディスプレイデータを出力できるように構成した多重画面を有するディスプレイ装置及びこれを適用したコンピュータを提供することにある。
【課題を解決するための手段】
【００２１】
前述した目的を達成するための本発明の実施形態に係るトリプルディスプレイ装置は、コンピュータに連結されて前記コンピュータから提供されるディスプレイデータを表示するトリプルディスプレイ装置であって、第１の入力ポートを備え、前記第１の入力ポートが第１のケーブルを介して前記コンピュータのメインボードに装着されたデュアルグラフィックカードの第１の出力ポートに連結されるメーンディスプレイ；第２の入力ポートを備え、前記第２の入力ポートが第２のケーブルを介して前記デュアルグラフィックカードの第２の出力ポートに連結される第１の補助ディスプレイ；及び第３の入力ポートを備えたＵＳＢ（Ｕｎｉｖｅｒｓａｌ  Ｓｅｒｉａｌ  Ｂｕｓ）ビデオモジュールを備え、前記ＵＳＢビデオモジュールが第３のケーブルを介して前記メインボードに備えられたＵＳＢ出力ポートに連結される第２の補助ディスプレイ；を含んでなり、前記第１の補助ディスプレイ及び前記第２の補助ディスプレイは前記メーンディスプレイの左右側または上下側のうちいずれか一方の上下または左右にそれぞれ設けられる。
【００２２】
本実施形態において前記第１の補助ディスプレイ及び前記第２の補助ディスプレイは前記メーンディスプレイより画面サイズが小さく構成される。
【００２３】
前記第１の補助ディスプレイ及び前記第２の補助ディスプレイは前記メーンディスプレイにヒンジ結合されて回動自在に設けられるように構成できる。または前記第１の補助ディスプレイ及び前記第２の補助ディスプレイは前記メーンディスプレイに軸結合されて回転自在に設けられるように構成することができる。
【００２４】
その上、前記第１の補助ディスプレイ及び前記第２の補助ディスプレイのうち少なくとも一つは前記メーンディスプレイに着脱自在に設けられるように構成することができる。
【００２５】
一方、前述したような目的を達成するための本発明の実施形態に係るコンピュータは、前述したような構成を有する前記トリプルディスプレイ装置；前記ＵＳＢ出力ポート、インターネット網に接続して前記ディスプレイデータを受信する通信部、及び前記ディスプレイデータを前記ディスプレイ装置に出力するための動作を制御する制御部を備えるメインボード；及び前記メインボードに装着されて前記制御部の制御によって前記ディスプレイデータを前記ディスプレイ装置に出力するデュアルグラフィックカード；を含んでなる。
【００２６】
好ましくは、本発明の実施形態に係るコンピュータは、内蔵された接続プログラムを実行して前記通信部を介して特定ウェブサイトに自動接続する接続部；をさらに含むことができる。この時、前記制御部は、前記特定ウェブサイトから提供されるデータを前記第１の補助ディスプレイまたは前記第２の補助ディスプレイに出力する。
【００２７】
また、本発明の実施形態に係るコンピュータは、内蔵された接続プログラムを実行して前記通信部を介して特定ウェブサイトに自動接続する接続部；をさらに含むことができる。この時、前記制御部は、前記特定ウェブサイトから提供されるデータを前記第１の補助ディスプレイに出力する。
【００２８】
本実施形態において前記特定サイトから提供されるデータは広告コンテンツデータまたは社内イントラネット情報である。
【００２９】
一方、本発明の実施形態に係るコンピュータにおいて、前記制御部は、前記第１の補助ディスプレイに表示される前記データが入力インターフェースを介して選択されると、選択された前記データに対応してリンクされたウェブページを前記インターネット網を介して受信して前記メーンディスプレイまたは前記第２の補助ディスプレイに出力する。また、前記第２の補助ディスプレイに表示される前記データが入力インターフェースを介して選択されると、選択された前記データに対応してリンクされたウェブページを前記インターネット網を介して受信して前記メーンディスプレイまたは前記第１の補助ディスプレイに出力する。
【００３０】
本発明の実施形態において前記制御部は、入力インターフェースを介してユーザーが入力する要請命令によって表示されるディスプレイデータを、前記メーンディスプレイ及び前記第２の補助ディスプレイに連動して表示するように設定する。この時、第１の補助ディスプレイは特定サイトから提供されるデータ（広告コンテンツまたは社内イントラネット情報等）表示専用に設定される。
【００３１】
本発明の実施形態において前記コンピュータは、前記ディスプレイ装置、前記メインボード、及び前記デュアルグラフィックカードが一つのケーシング内に備えられて一体型に製作できる。このような構成において、前記第１の補助ディスプレイの前記第２の入力ポートはデジタルビデオケーブルを介して前記デュアルグラフィックカードの前記第２の出力ポートに直接連結され、この時前記第２の出力ポートから出力される前記データはデジタルフォーマットで前記第２の入力ポートに直接受信して前記第１の補助ディスプレイに表示する。
【００３２】
本発明によれば、メーンディスプレイと第１の及び第２の補助ディスプレイとから構成されるトリプルモニターを一体のケーシングに構成し、メーンディスプレイと第１の補助ディスプレイはコンピュータのメインボードに装着されたデュアルグラフィックカードに連結し、第２の補助ディスプレイはメインボードのＵＳＢ出力ポートに連結することで、コンピュータから出力される相異なる情報を有するディスプレイデータをそれぞれ出力するように構成できる。それによって、ハードウェア及びソフトウェア的に追加的なコスト負担を最小化しながら、より多くの数のコンピュータ作業空間（画面）を確保することができる長所がある。
【発明の効果】
【００３３】
また、本発明によれば、一体にケーシングに構成したメーンディスプレイと第１の及び第２の補助ディスプレイのうち、第１の補助ディスプレイをインターネット網を介して特定サイトから提供される広告コンテンツまたは社内イントラネット情報のようなデータを常に強制的に表示するように設定することによって、第２の補助ディスプレイを通した広告またはお知らせ情報を得ることができる効果がある。
【図面の簡単な説明】
【００３４】
【図１】従来技術による二つのモニターを有するデュアルモニターの例を示した図である。
【図２】図１のデュアルモニターとコンピューター本体の連結例を示した図である。
【図３】本発明の好ましい実施形態に係る一体型トリプルディスプレイ装置の製品例を示した図である。
【図４】本発明の好ましい実施形態に係るトリプルディスプレイ装置とコンピューター本体を連結した例を示した図である。
【図５】本発明の好ましい実施形態に係るトリプルディスプレイ装置とコンピューター本体を連結した他の例を示した図である。
【図６】本発明の好ましい実施形態によってディスプレイデータを伝送するためにトリプルディスプレイ装置をコンピューター本体に連結すること例を示したブロック図である。
【発明を実施するための形態】
【００３５】
以下、添付図面を参照して本発明の実施形態について詳細に説明する。図面において、同一または類似する構成要素については明細書全体を通して同一の参照符号を付し、その重複説明や本発明の要旨を不明にする公知の機能及び構成についての詳細な説明は適宜省略したことを理解するべきである。
【００３６】
図３は本発明の好ましい実施形態に係る一体型トリプルディスプレイ装置の製品例を示した図である。
【００３７】
この図に示したように、本発明の実施形態に係るトリプルディスプレイ装置１００はメーンディスプレイ１２０、第１の補助ディスプレイ１４０、及び第２の補助ディスプレイ１６０から構成される。
【００３８】
本実施形態においてメーンディスプレイ１２０、第１の補助ディスプレイ１４０、及び第２の補助ディスプレイ１６０は一体に構成し、第１の補助ディスプレイ１４０及び第２の補助ディスプレイ１６０はメーンディスプレイ１２０より小さな画面サイズに構成する。また第１の補助ディスプレイ１４０及び第２の補助ディスプレイ１６０はメーンディスプレイ１２０の左右側または上下側のうちいずれか一方に設けることができ、本実施形態においてはメーンディスプレイ１２０の上側の左右にそれぞれ設けた。
【００３９】
図面に示したように、第１の補助ディスプレイ１４０及び第２の補助ディスプレイ１６０をメーンディスプレイ１２０の上側に設ける時、これらの補助ディスプレイはメーンディスプレイ１２０と同一方向に左右にそれぞれ固設する。他の例として、第１の補助ディスプレイ１４０及び第２の補助ディスプレイ１６０はメーンディスプレイ１２０に対して前後及び左右方向のうちいずれか一つの方向に一定角度で固定、回動または回転自在に設けることができる。
【００４０】
例えば、コンピュータ作業を行うユーザーの視野角及び目の疲労度を考えて第１の補助ディスプレイ１４０及び第２の補助ディスプレイ１６０をメーンディスプレイ１２０に対して一定角度で設けることができる。これを参照して、第１の補助ディスプレイ１４０及び第２の補助ディスプレイ１６０は、第１の補助ディスプレイ１４０及び第２の補助ディスプレイ１６０の上側部を、メーンディスプレイ１２０の垂直方向に対して前方に１０゜〜２０゜内の角度で設け、メーンディスプレイ１２０の水平方向に対して５゜〜１５゜内の角度で設けることが好ましい。
【００４１】
このような構成を有するメーンディスプレイ１２０、第１の補助ディスプレイ１４０、及び第２の補助ディスプレイ１６０は、ディスプレイデータ伝送用ケーブルを介して連結されたコンピュータから伝送されるディスプレイデータをそれぞれ画像出力する。
【００４２】
したがって、コンピュータから出力されるディスプレイデータを表示できる画面を三つで構成することによって、一つの画面または二つの画面で構成された従来のディスプレイ装置に比べて、より多くの数の作業空間を確保することができる長所がある。
【００４３】
図４は本発明のディスプレイ装置において、第１の補助ディスプレイ１４０と第２の補助ディスプレイ１６０をメーンディスプレイ１２０に結合する他の例を示した図である。
【００４４】
この図に示したように、第１の補助ディスプレイ１４０と第２の補助ディスプレイ１６０は、その下側部がメーンディスプレイ１２０の上側にヒンジ結合され、ヒンジ軸１４６、１６６を基準に第１の補助ディスプレイ１４０と第２の補助ディスプレイ１６０が前方及び／または後方に回動自在に設けられる。
【００４５】
このように、第１の補助ディスプレイ１４０及び第２の補助ディスプレイ１６０を前方及び後方に回動自在に結合して設けることによって、ユーザーが画面を見る視野角に対応して画面に表示される情報をより鮮明に確認することができる便利さを提供できる。
【００４６】
図５は本発明のディスプレイ装置において、第１の補助ディスプレイ１４０と第２の補助ディスプレイ１６０をメーンディスプレイ１２０に結合するもう一つの例を示した図である。
【００４７】
この図に示したように、第１の補助ディスプレイ１４０と第２の補助ディスプレイ１６０は、その下側の中心部がメーンディスプレイ１２０とヒンジ及び回転軸により結合され、ヒンジ及び回転軸１４８、１６８を基準に第１の補助ディスプレイ１４０と第２の補助ディスプレイ１６０が前後及び左右方向に回動及び回転自在に設けられる。
【００４８】
また、本発明の他の例として、第１の補助ディスプレイ１４０及び第２の補助ディスプレイ１６０のうち少なくとも一つはメーンディスプレイ１２０に着脱自在に結合して設けることができる。好ましくは、第１の補助ディスプレイ１４０はメーンディスプレイ１２０に回動または回転自在に結合して設け、第２の補助ディスプレイ１６０はメーンディスプレイ１２０に着脱自在に結合して設けることができる。
【００４９】
このように、第１の補助ディスプレイ１４０と第２の補助ディスプレイ１６０を回動及び回転自在にメーンディスプレイ１２０に結合設けることによって、ユーザーがどの方向にあっても第１の補助ディスプレイ１４０及び第２の補助ディスプレイ１６０を前後及び左右に回動及び回転させて各画面に表示される情報を容易に確認することができる便利さを提供できる。その上、第２の補助ディスプレイ１６０をメーンディスプレイ１２０に着脱自在に結合して設けることができるように構成することによって、図１と同様に、一体型トリプルディスプレイ装置ではない従来の一体型デュアルディスプレイ装置に着脱自在に構成して、本発明に係るトリプルディスプレイ装置のような構成を実現できる長所がある。
【００５０】
図６は本発明の好ましい実施形態に係るディスプレイデータの伝送のためのトリプルディスプレイ装置とコンピュータ本体の連結例を示した図である。
【００５１】
この図に示したように、トリプルディスプレイ装置１００はメーンディスプレイ１２０、第１の補助ディスプレイ１４０、及び第２の補助ディスプレイ１６０から構成される。
【００５２】
ここで、メーンディスプレイ１２０はメインボード２００から出力されるディスプレイデータの入力を受けるための第１の入力ポート１２２を備える。この時、第１の入力ポート１２２はＤＶＩ（Ｄｉｇｉｔａｌ  Ｖｉｄｅｏ  Ｉｎｔｅｒｆａｃｅ）及び／またはＡＶＩ（Ａｎａｌｏｇ  Ｖｉｄｅｏ  Ｉｎｔｅｒｆａｃｅ）ポートとして構成される。本実施形態において第１の入力ポート１２２はＤＶＩポートとして構成される。
【００５３】
第１の補助ディスプレイ１４０はメインボード２００から出力されるディスプレイデータの入力を受けるための第２の入力ポート１４２を備える。この時、第２の入力ポート１４２はＡＶＩポートとして構成される。
【００５４】
第２の補助ディスプレイ１６０はメインボード２００から出力されるディスプレイデータの入力を受けるための第３の入力ポート１６２を備える。この時、第３の入力ポート１６２はＵＳＢポートとして構成される。また本実施形態において第２の補助ディスプレイ１６０は第３の入力ポート１６２のＵＳＢポートからディスプレイデータの入力を受けて第２の補助ディスプレイ１６０の画面に出力するＵＳＢビデオモジュール１６４を備える。ここで、ＵＳＢビデオモジュール１６４は入力されるＵＳＢストリーミングのディスプレイデータを第２の補助ディスプレイ１６０の画面に表示するためのデータフォーマットに変換して出力する機能を行う。
【００５５】
このように、本発明において三つのディスプレイから構成されたトリプルディスプレイ装置１００のうち、第２の補助ディスプレイ１６０がＵＳＢポート１６２を介してディスプレイデータの入力を受けて、ＵＳＢビデオモジュール１６４を介して画面に表示可能なフォーマットに変換して出力処理するように構成することによって、第２の補助ディスプレイ１６０のＵＳＢポート１６２とコンピュータのメインボード２００に基本的に備えられたＵＳＢポート２８２を連結してディスプレイデータを出力できる長所がある。これによって、第２の補助ディスプレイ１６０と連結するためにコンピュータのメインボード２００にグラフィックカードをさらに装着したり、各ディスプレイに相異なるディスプレイデータを出力するための多重ディスプレイ出力ソフトウェアを別途にインストールする必要がない。また、一つのグラフィックカードからメーン、第１の補助、第２の補助ディスプレイ１２０、１４０、１６０とそれぞれ連結されて相異なるディスプレイデータを出力するように構成する高価なトリプルグラフィックカードを追加することなく、既存のコンピュータに装着されているグラフィックカードをそのまま利用しながらトリプルディスプレイ画面を構成できる長所がある。
【００５６】
本実施形態においてメーンディスプレイ１２０、第１の補助ディスプレイ１４０、及び第２の補助ディスプレイ１６０のディスプレイ動作は、当該ディスプレイデータが互いに連動して表示されるように構成することができる。すなわち、メーンディスプレイ１２０にはトリプルディスプレイ装置１００に連結されたコンピュータで実行されるプログラムの主処理内容が表示される。第１の補助ディスプレイ１４０及び第２の補助ディスプレイ１６０にはユーザーの要請によるコンピュータの使用環境及び作業データとウェブページを連結させるリンク情報等が連動して表示される。
【００５７】
本実施形態において、第１の補助ディスプレイ１４０には外部の特定インターネットウェブサイトから提供されるデータ（例えば、広告コンテンツ、社内イントラネット情報）の表示専用に設定することができる。すなわち、本発明の実施形態においては、第１の補助ディスプレイ１４０をユーザーにより変更が不可能なウェブサイト提供データの表示用途に固定設定し、第２の補助ディスプレイ１６０をユーザーの要請によって変更可能な任意のデータの表示のための用途に設定できる。逆に、第１の補助ディスプレイ１４０を任意のデータの変更表示が可能な用途に設定し、第２の補助ディスプレイ１６０を特定ウェブサイト提供データの固定表示用途に設定することができる。この時、第１の補助ディスプレイ１４０及び第２の補助ディスプレイ１６０のデータ表示用途設定と、広告コンテンツの受信及び表示に関連した動作については、以下でメインボード２００の構成と共に説明するようにする。
【００５８】
図６に示したコンピュータのメインボード２００は制御部２１０、通信部２２０、命令入力インターフェース２３０、オーディオ出力部２４０、接続部２５０、デュアルグラフィックカード２６０、及びＵＳＢモジュール２８０を含んでなる。
【００５９】
制御部２１０はコンピュータの全体的な動作を制御し、本発明の実施形態によってディスプレイデータをディスプレイ装置１００に出力するための動作を制御する。
【００６０】
通信部２２０はインターネット網４５０を介してウェブサイトに接続し、接続した当該ウェブサイトから提供されるデータを受信し、本実施形態によってインターネット網４５０を介して広告コンテンツ提供サーバー４００に接続して広告コンテンツ提供サーバー４００から提供されるデータを受信する。ここで、広告コンテンツ提供サーバー４００は本発明のトリプルディスプレイ装置１００を通して、広告を望む広告要請企業から受け付けた広告データをデータベース化して格納及び管理し、トリプルディスプレイ装置１００に連結されたコンピュータからウェブサイト接続信号を受信すると、格納している広告データをコンピュータに提供する。コンピュータとのインターネット接続による広告コンテンツ提供サーバー４００の具体的な動作についての説明は、以下でビジネスモデル事業についての説明と共に行うようにする。
【００６１】
命令入力インターフェース２３０はユーザーが入力する命令を受信して制御部２１０に提供する。本実施形態において命令入力インターフェース２３０は、ユーザーが入力するディスプレイデータを表示するためのディスプレイの選択命令の入力を受けて制御部２１０に提供する。本実施形態における命令入力インターフェース２３０は、一般的にコンピュータのメインボード２００に連結されるキーボードまたはマウスを適用できる。
【００６２】
オーディオ出力部２４０は制御部２１０の命令によって実行される当該プログラムから発生するオーディオデータをスピーカーから出力する。
【００６３】
接続部２５０はメインボード２００に電源が印加されてシステムがオン（ＯＮ）された状態で、格納している接続プログラム２５４を実行させてインターネット網４５０を介して設定した特定ウェブサイトに接続し、このウェブサイトから提供するデータを受信する。ここで、接続プログラム２５４は電源が印加された状態で接続部２５０が特定ウェブサイトの接続命令を制御部２１０に印加すると、通信部２２０を介して特定ウェブサイトに制御部２１０を接続させる実行プログラムである。
【００６４】
本実施形態において特定ウェブサイトは、図６に示した広告コンテンツ提供サーバー４００である。本発明の広告コンテンツ提供サーバー４００は広告業者が依頼した広告コンテンツを管理し、インターネット網４５０を介して広告コンテンツを提供する機能を行う。
【００６５】
このようなシステム構成を通じて、本実施形態における制御部２１０は、メインボード２００に電源が供給されてオペラチオンシステム（ＯＳ）プログラムを通じてコンピュータのブーティングが完了すると、接続部２５０により接続プログラム２５４が自動で実行され、既に設定された広告コンテンツ提供サーバー４００に接続し、このサーバーから提供するデータを受信するように通信部２２０を制御する。
【００６６】
この時、制御部２１０は広告コンテンツ提供サーバー４００から受信したデータを第２の出力ポート２６４を介して第１の補助ディスプレイ１４０に出力する。
【００６７】
デュアルグラフィックカード２６０はメインボード２００に装着され、バス（ＢＵＳ）を介して制御部２１０に連結される構造を有し、制御部２１０の命令によってディスプレイデータを出力する動作を行う。デュアルグラフィックカード２６０はディスプレイデータを出力するための第１の出力ポート２６２及び第２の出力ポート２６４を備える。ここで、第１の出力ポート２６２はＤＶＩポートまたはＡＶＩポート形式で構成でき、第２の出力ポート２６４はＡＶＩポート形式で構成できる。好ましくは、第１の出力ポート２６２及び第２の出力ポート２６４はそれぞれ、連結のために対応するメーンディスプレイ１２０の第１の入力ポート１２２及び第１の補助ディスプレイ１４０の第２の入力ポート１４２と同一の規格形式で構成する。
【００６８】
ＵＳＢモジュール２８０はＵＳＢ出力ポート２８２を介して外部ディバイス（キーボード、マウス、フリッター等）との当該データの送受信を行う。本実施形態においてＵＳＢモジュール２８０は制御部２１０の制御によってディスプレイデータをＵＳＢ出力ポート２８２を介して出力する。
【００６９】
本発明においてデュアルグラフィックカード２６０及びＵＳＢモジュール２８０と、メーンディスプレイ１２０と第１の補助ディスプレイ１４０及び第２の補助ディスプレイ１６０間の連結構造は次のようになっている。
【００７０】
デュアルグラフィックカード２６０の第１の出力ポート２６２はメーンディスプレイ１２０の第１の入力ポート１２２と第１のケーブル３２０を介して連結される。デュアルグラフィックカード２６０の第２の出力ポート２６４は第１の補助ディスプレイ１４０の第２の入力ポート１４２と第２のケーブル３４０を介して連結される。ＵＳＢモジュール２８０に連結されたＵＳＢ出力ポート２８２は第２の補助ディスプレイ１６０の第３の入力ポート１６２と第３のケーブル３６０を介して連結される。本実施形態において第１のケーブル３２０はデジタルビデオ伝送（ＤＶＩ）ケーブルであり、第２のケーブル３４０はアナログビデオ伝送（ＡＶＩ）ケーブルであり、第３のケーブル３６０はＵＳＢビデオ伝送ケーブルである。また、ＵＳＢ出力ポート２８２と第３の入力ポート１６２は第３のケーブル３６０の代わりに、それぞれのポート２８２、１６２にＵＳＢ無線通信モジュールを装着し、無線ＵＳＢ通信を通じて相互連結するように構成することができる。
【００７１】
この時、ＵＳＢビデオ伝送ケーブル３６０はコンピュータでＵＳＢモジュール２８０を介して提供するＵＳＢ２．０技術であり、４８０Ｍｂｐｓの最大伝送速度を支援するＵＳＢ伝送プロトコル技術に基づいてデータを伝送する。このようなＵＳＢビデオ伝送ケーブル３６０はデータの伝送速度がビデオ伝送ケーブル３２０、３４０に比べて遅い特性があって、高画質の動画のような大容量データを伝送して画面に表示する場合、表示される映像が円滑にディスプレイされない特徴がある。したがって、本実施形態においてＵＳＢビデオ伝送ケーブル３６０を介して伝送されて第２の補助ディスプレイ１６０に表示されるようにするディスプレイデータの種類は、一般テキスト文書やテキストで構成されたウェブページまたはウェブサイトリンクデータのような低容量のディスプレイデータであることが好ましい。これによって、本実施形態における制御部２１０は、広告コンテンツ提供サーバー４００から提供される広告コンテンツデータを第１の補助ディスプレイ１４０に出力して表示するように設定する。
【００７２】
ここで表示される広告コンテンツデータは、一つまたは複数の広告情報が一つのページに構成されて表示できるように製作されている。また、広告コンテンツデータはテキストで構成することができるが、一般的にテキストが基本的に結合されたイメージ、フラッシュ、動画等に製作できる。
【００７３】
本実施形態において制御部２１０は広告コンテンツデータのみでなく、インターネット網４５０を介して接続が設定された外部コンテンツ提供サーバーから提供する特定ウェブ情報（例えば、社内または機関イントラネット情報、ニュース、電子メール、教育、株式、チャット等）を第２の補助ディスプレイ１６０に固定表示するように制御することができる。
【００７４】
このように、本実施形態において第１の補助ディスプレイ１４０には多様な技法で製作した広告コンテンツが表示されるように設定し、第２の補助ディスプレイ１６０にはＵＳＢ伝送特性上、低容量ディスプレイデータが伝送されて表示されるように設定する。
【００７５】
このような本発明の実施形態によって、ユーザーがインターネットを使用しなくてもコンピュータがオン（ＯＮ）されている状態であれば、メーンディスプレイ１２０以外の第１の補助ディスプレイ１４０に広告コンテンツを表示するようにすることによって、ユーザーが常に広告コンテンツを見ることができるようにして広告効果を高めることができる長所がある。
【００７６】
また、第１の補助ディスプレイ１４０に表示された広告コンテンツのうちいずれか一つが選択されると、制御部２１０は選択されたコンテンツに対応してリンクされたウェブサイトに接続し、これから提供するウェブページを受信する。この時、制御部２１０は受信したウェブページを第２の補助ディスプレイ１６０またはメーンディスプレイ１２０に表示するようにＵＳＢモジュール２８０及びデュアルグラフィックカード２６０の出力動作を制御する。
【００７７】
本実施形態においては電源が印加されてからコンピューターがブートすると、制御部２１０が接続部２５０を制御してインターネット網４５０を介して広告コンテンツ提供サーバー４００に接続し、広告性コンテンツの提供を受けるように説明しているが、接続部２５０をハードウェア的に構成してコンピューターのメインボード２００に装着し、通信部２２０を介して広告コンテンツ提供サーバー４００に接続するように構成することもできる。この時、本発明の他の実施形態においてはハードウェアで構成した接続部２５０にキーロック（ｋｅｙ  ｌｏｃｋ）を設定することで、コンピューターがオン（ＯＮ）された状態で通信部２２０を介して広告コンテンツ提供サーバー４００に常に強制接続して提供を受ける広告コンテンツを第１の補助ディスプレイ１４０に表示するように設定できる。この時、ハードウェアで構成した接続部２５０はコンピューターがオン（ＯＮ）状態でなくても別の電源の供給を受けて広告コンテンツ提供サーバー４００に接続できるように構成することができる。
【００７８】
また、本実施形態においては制御部２１０が外部広告コンテンツ提供サーバー４００から提供を受けた広告コンテンツを第１の補助ディスプレイ１４０を通じて表示するように出力を制御すると説明しているが、広告コンテンツを第２の補助ディスプレイ１６０に表示するように制御することができる。
【００７９】
本発明において電源が印加されてからコンピューターがブートすると、制御部２１０が外部広告コンテンツ提供サーバー４００に接続して広告性コンテンツの提供を受け、これを第１の補助ディスプレイ１４０または第２の補助ディスプレイ１６０を通じて表示するように制御することによって、トリプルディスプレイ装置１００の製造者及びユーザーに収益創出の機会を提供できるビジネスモデル事業が可能である。
【００８０】
すなわち、製造者に取っては、トリプルディスプレイ装置１００を通じてユーザーに広告することを望む広告業者等から広告依頼費用をもらって収益を創出できる。この時、製造者は広告業者等が依頼した広告コンテンツをインターネットを介してトリプルディスプレイ装置１００が連結したコンピューターに提供し、トリプルディスプレイ装置１００を通じて広告コンテンツを視聴する条件下に、トリプルディスプレイ装置１００をユーザーに無償または安価で提供することで、より多くの広告視聴者を確保できると共に、広告効果を高めるビジネスモデルの構築が可能である。これによって、ユーザーに取っては、広告の提供を受ける条件下に、トリプルディスプレイ装置１００を無償または安価で購入することができる利点がある。
【００８１】
また、もう一つのビジネスモデル事業として、トリプルディスプレイ装置１００の製造者はユーザーにトリプルディスプレイ装置１００を一括払いまたは分割払いで販売し、広告コンテンツ提供サーバー４００から提供されてトリプルディスプレイ装置１００に表示される広告コンテンツをユーザーが視聴した時間または表示された広告コンテンツのクリック回数と、これによってリンクされたウェブサイトの接続回数等に基づいてユーザーに広告視聴による補償サービスを提供できるように構成することもできる。広告視聴による補償方法は、広告を視聴したユーザーに現金に相応するポイントを定期的に支給し、支給したポイントはユーザーが現金に還元できるようにしたり、トリプルディスプレイ装置１００の購入によって支払う分割払い金のうち一部または全部を支給したポイントで代わりに支払えるように構成することもできる。
【００８２】
その上、本発明のもう一つの実施形態として、ユーザーは広告コンテンツ提供サーバー４００から提供されていてトリプルディスプレイ装置１００に表示されている広告コンテンツもうち、自分が購買しようとする特定商品の金額のうち一部または全部を現金の代わりに積み立てられたポイントで支払えるように構成することもできる。
【００８３】
このようなビジネスモデル事業を通じて本発明のトリプルディスプレイ装置１００の需要が拡大できると共に、これによる広告効果の向上が得られる長所がある。
【００８４】
一方、本発明のトリプルディスプレイ装置１００、デュアルグラフィックカード２６０及びＵＳＢモジュール２８０が装着されたメインボード２００、及び接続部２５０を一つのケーシング内に備えて一体型に製作したコンピューターとして構成することもできる。このように一体型コンピューターとして構成する場合、メインボード２００に装着されたデュアルグラフィックカード２６０及びＵＳＢモジュール２８０と、トリプルディスプレイ装置１００を連結するゲーブル３２０、３４０、３６０をコンピューターのケーシング内部にパッケージで構成して製作することで、美観上秀麗さを与えることができ、従来に比べてコンピューターの設置空間をより小さく占める長所がある。
【００８５】
一方、コンピューターとディスプレイ装置１００を別途に形成する場合、コンピューターのメインボード２００とディスプレイ装置１００を連結するケーブル３２０、３４０、３６０は１．５ｍ程度の長さを有することが一般的である。この時、コンピューターのメインボード２００を通じて生成されるディスプレイデータはデジタルフォーマットであり、このようなデジタルフォーマットのディスプレイデータが画質の損傷なしに伝送されて表示ができる距離は２０ｃｍないし４０ｃｍ有することが一般的である。したがって、１．５ｍ程度の距離に伝送されて画質の損傷なく表示するために、デジタルフォーマットのディスプレイデータをアナログフォーマットに変換するためのＤＡＣ（Ｄｉｇｉｔａｌ  ｔｏ  Ａｎａｌｏｇ  Ｃｏｎｖｅｒｔｅｒ）モジュールをデュアルグラフィックカード２６０に設ける必要がある。また、デュアルグラフィックカード２６０から受信したアナログフォーマットのディスプレイデータを画面に表示するためにデジタルフォーマットに変換するためのＡＤＣ（Ａｎａｌｏｇ  ｔｏ  Ｄｉｇｉｔａｌ  Ｃｏｎｖｅｒｔｅｒ）を第１の補助ディスプレイ１４０に設ける必要がある。
【００８６】
一方、トリプルディスプレイ装置１００とコンピューターの本体を一体化したコンピューターを構成する場合、第１の補助ディスプレイ１４０の第２の入力ポート１４２とデュアルグラフィックカード２６０の第２の出力ポート２６４の連結距離を２０ｃｍないし４０ｃｍ内で構成できる。
【００８７】
したがって、ディスプレイデータに対するアナログフォーマット及びデジタルフォーマット変換のための構成（ＤＡＣ、ＡＤＣ）なしに、第１の補助ディスプレイ１４０の第２の入力ポート１４２とデュアルグラフィックカード２６０の第２の出力ポート２６４を２０ｃｍないし４０ｃｍのデジタルビデオケーブルで直接連結して構成できる。この時、デュアルグラフィックカード２６０の第２の出力ポート２６４から出力されるデジタルフォーマットのディスプレイデータはデジタルビデオケーブルを介して第１の補助ディスプレイ１４０の第２の入力ポート１４２に直接受信されて信号変換なしに画面に表示することによって、ディスプレイデータの表示速度が向上し、表示映像に対する原本画質を保障できる長所がある。
【００８８】
本発明において示した図面と共に説明したトリプルディスプレイ装置は、メーンディスプレイ１２０及び第１の補助ディスプレイ１４０の入力ポート１２２、１４２が、デュアルグラフィックカード２６０の各出力ポート２６２、２６４に対応する規格及び形状で構成したものと説明している。しかし、本発明のトリプルディスプレイ装置のメーンディスプレイ１２０及び第１の補助ディスプレイ１４０の入力ポート１２２、１４２は、デュアルグラフィックカード２６０の各出力ポート２６２、２６４と相異なる規格及び形状で構成することができる。この場合、トリプルディスプレイ装置のメーンディスプレイ１２０及び第１の補助ディスプレイ１４０の入力ポート１２２、１４２にはデュアルグラフィックカード２６０の出力ポート２６２、２６４の規格を入力ポート１２２、１４２の規格に変換するための変換機をさらに結合して設ける。
【００８９】
その上、本発明においては、デュアルグラフィックカード２６０の出力ポート２６２、２６４の規格に対応してメーンディスプレイ１２０の入力ポート１２２と第１の補助ディスプレイ１４０の入力ポート１４２を形成し、ＵＳＢモジュール２８０の出力ポート２８２の規格に対応して第２の補助ディスプレイ１６０の入力ポート１６２を形成したと説明している。しかし、本発明の他の例として、メインボード２００に装着されるグラフィックカードを一つの出力ポートを有するシングルグラフィックカードで構成し、メインボード２００は二つのＵＳＢ出力ポートを備える場合も、本発明のトリプルディスプレイ装置と連結できるように構成できる。この場合、トリプルディスプレイ装置はメーンディスプレイ１２０の入力ポート１２２規格がシングルグラフィックカードの出力ポートに対応する形状で形成し、第１の補助ディスプレイ１４０及び第２の補助ディスプレイの入力ポート１４２３、１６２規格がＵＳＢ出力ポートに対応する形状で形成して構成する。
【産業上の利用可能性】
【００９０】
本発明はメーンディスプレイと、第１及び第２の補助ディスプレイを一体に構成して、コンピュータから出力される相異なる情報を有するディスプレイデータをこれらのディスプレイにそれぞれ出力するように構成するコンピューティング環境システム分野に利用できる。また、本発明は三つのディスプレイのうち補助ディスプレイを広告コンテンツまたは社内イントラネット情報のようなデータを表示するように構成して、広告産業分野に広く利用できる。
【００９１】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。
【図１】
2013504790.tif 000003
【図２】
2013504790.tif 000004
【図３】
2013504790.tif 000005
【図４】
2013504790.tif 000006
【図５】
2013504790.tif 000007
【図６】
2013504790.tif 000008
【国際調査報告】
2013504790.tif 000009
2013504790.tif 000010
2013504790.tif 000011
2013504790.tif 000012